(57)【要約】【課題】下部におはしょり形成部を設けた二部式着物の上衣において、締紐と上衣との位置関係を調整して余裕のあるおはしょりを形成すること【解決手段】左右の後身頃の下部に沿って紐通し設けて締紐を挿通し、左衿下部裏側に締紐を挿通させるためのループを設け、右前身頃の下部外側と左袵の下部とに両者を係止させるための係止部材を取り付ける【図面】図２【特許請求の範囲】
【請求項１】
下部におはしょり形成部を設けた二部式着物の上衣において、左右の後身頃の下部に沿って紐通し設けて締紐を挿通し、左衿下部裏側に締紐を挿通させるためのループを設け、右前身頃の下部外側と左袵の下部とに両者を係止させるための係止部材を取り付けた二部式着物の上衣。
【請求項２】
紐通しを左右の後身頃から左前身頃の下部にまで延設した請求項１に記載の二部式着物の上衣。
【請求項３】
締紐を二本の紐で構成し、左右の後身頃の下部に沿って設けた紐通しに挿通させた第一の締紐の基端部を左脇の下部近傍に固定させ、左前身頃と左袵との縫着部近傍に第二の締紐の基端部を固定した請求項１に記載の二部式着物の上衣。
【請求項４】
係止部材を複数個取り付けた請求項１、２又は３に記載の二部式着物の上衣。
【発明の詳細な説明】
【技術分野】
【０００１】
本発明は、下部におはしょり形成部を設けた二部式着物の上衣に関するものである。
【背景技術】
【０００２】
この種の二部式きものの上衣は、特許文献に記載されたものが公知である。
ここに開示されている上衣は、後身頃、前身頃、袵及び衿の下部全体に締紐を縫着させて衿の外側へ紐の先端を突出させる構成を採用していて、これに袖を通した段階で下部を内側へ折り返した後、左衿下部に設けたループを右脇下の外側に取り付けたボタンに掛けて左右の前身頃を重ね合わせ、おはしょりを完成させた後、締紐を締めるようにしている（明細書第４〜５頁参照）。
【０００３】
しかしながら、前身頃を打ち合わせて衿をボタンで固定し、その状態で締紐を締めようとすると、衿同志が互いに反対方向に引っ張られることになる。無理に締紐で締めようとすると形成された衿元に歪みが生じさせるから、この文献に開示された上衣では、紐で「締める」ことに格別の意味を見いだすことができないことになる。
【０００４】
また、ここに開示されている上衣は、タックを設けて上衣を体形に一致させことによって、衿元を歪ませずに締紐で「締める」ことを可能にしようとしている。
しかしながらが、着物を体にフィットさせると、後身頃から前身頃にかけてまったく皺を発生させない着姿となって、タイトなドレスと同様の着姿となってしまい、しかもその上に帯を装着することになるから、おはしょりに余裕がなくなって着物特有のゆったりとした着姿が形成できないないし、装着者の所作も窮屈となる不都合もある。
【特許文献１】実開昭55-142510 号公報
【発明の開示】
【発明が解決しようとする課題】
【０００５】
本発明は、下部におはしょり形成部を設けた二部式着物の上衣において、締紐と上衣との位置関係を調整して余裕のあるおはしょりを形成することを課題としたものである。
【課題を解決するための手段】
【０００６】
この技術的課題を解決するための第一の技術的手段は、（イ）左右の後身頃の下部に沿って紐通し設けて締紐を挿通し、（ロ）左衿下部裏側に締紐を挿通させるためのループを設け、（ハ）右前身頃の下部外側と左袵の下部とに両者を係止させるための係止部材を取り付けたこと、である。
【０００７】
第二の技術的手段は、第一の技術的手段において、（ニ）紐通しを左右の後身頃から左前身頃の下部にまで延設して締紐を挿通させたことである。
第三の技術的手段は、同様に、（ホ）締紐を二本の紐で構成し、（ヘ）左右の後身頃の下部に沿って設けた紐通しに挿通させた第一の締紐の基端部を左脇の下部近傍に固定させ、（ト）左前身頃と左袵との縫着部近傍に第二の締紐の基端部を固定したことである。
【０００８】
二部式着物を装着するには、最初にスカート状の下衣を装着する。
第一の技術的手段において、上衣は、左右の後身頃の下部に沿って設けた紐通しに締紐が挿通させられているから、上衣に袖を通して締紐の右先端部を体の前に回し、左衿下部裏側に設けたループに挿通させ、紐の両端側を締めつけると上衣の下端縁が腰の位置にたくし上げられた状態となる。
【０００９】
締紐を締めるにしたがって、右の前身頃と袵とを除く部分が締めつけられ、腰の周りに多数の締め皺が形成されることになる。
このとき、上衣下部のおはしょり形成部において、右の前身頃と袵はそのまま締紐の外側で垂れ下がり、後身頃及び左前身頃は袋状に垂れ下がることになる。
【００１０】
右前身頃の下部外側と左袵の下部とに係止部材が取り付けられているから、係止部材を係止させて前身頃を打ち合わせる準備が完了する。このとき、前身頃の垂れ下がりは、後身頃と同様に袋状の垂れ下がりとなる。
【００１１】
次いで、身八つ口から内側へ手を入れ、締紐を結んだまま下衣の締皺の位置を脇下に寄せたり、脇下と背面に分散させたりして調整すると共に、背縫い線の背面中心にへの位置合わせと前身頃の打ち合わせとを行うと、下衣の垂れ下がりを利用して締紐の外側でゆったりしたおはしょりを形成することができる。このとき、同時に上衣と下衣との袵線を一致させれば良い。
【００１２】
第二の技術的手段では、紐通しが左右の後身頃から左前身頃の下部にまで延設されているから、これに挿通させた締紐は、右端側が脇下から、左端側が前身頃と袵との間から突出することになる。
したがって、締紐を結んだ場合には、右前身頃と右袵とを除く部分が均等に締めつけられ、第一の技術的手段と同様の状態となる。
【００１３】
第三の技術的手段では、締紐を二本の紐で構成している。
左右の後身頃の下部に沿って設けた紐通しに挿通させた第一の締紐は、その基端部が左脇の下部近傍に固定され、第二の締紐の基端部は左前身頃と左袵との縫着部近傍に固定されているから、第一の締紐を左衿下部裏側に設けたループに挿通させ、双方の紐の両端側を締めつけると上衣の下端縁が腰の位置にたくし上げられ、第一、二の技術的手段と同じ作用を奏することになる。
【００１４】
締紐による締めつけと係止部材の係止とは、いずれを先に行ってもよい。
紐通しは、後身頃全体にわたって形成するが、紐の位置を安定させて案内できる形態であればよく、筒状の通し構造としたり、多数のループを並列させたりして形成することができる。
なお，第一、二の技術的手段における紐通しに挿通させた紐の先端は、下衣の内側へ突出させてもよいし、外側へ突出させてもよい。
【００１５】
係止部材としては、スナップ（ホック）や面ファスナーを好適に使用することができるが、他の公知の係止具を使用しても差し支えない。
この係止部材は、複数個取り付けたり、面ファスナーでは長めにしておくことによって前身頃の打ち合わせ幅を調整することが可能となる。このようにしておくと、細胴、太胴の双方に対応させることが可能となる。
【発明の効果】
【００１６】
締紐と上衣との位置関係を調整して余裕のあるおはしょりを形成することができる結果、従来の和服のイメージを損なうことなく上衣を装着できる利点があり、装着者の所作が窮屈になるおそれもない。
【実施例１】
【００１７】
図１は、上衣１の前身頃２、３を開けた状態の正面図である。
この実施例では、左右の後身頃６、７の下部から左前身頃３（左袵５の手前）の下部にかけて筒状の紐通し１０を形成してあり、その中に締紐１１を挿通させている。また、紐１１の右端部は下衣１の外側に、左端部は下衣１の内側へ突出させる構成とした。
【００１８】
右袵４の下部外側と左前身頃３の下部内側にはスナップ１２、１３が取り付けてあって、前身頃２、３同志を打ち合わせて互いに係止させられるようになっている。
また、左の衿８の下部内側には締紐１１の右端部を挿通させるためのループ１４を設けている。
【実施例２】
【００１９】
図２は、筒状の紐通し１０を左右の後身頃６、７の下部にのみ設け、これに第一の締紐11a を挿通させ、その基端部を左脇側で縫着させている。
第二の締紐11b は、その基端部を左の前身頃３と袵５との縫着部近傍に縫着させている。したがって、締紐１１を二本で構成した点と、左前身頃３の下端部で締紐が紐通し１０に挿通させていない点において、実施例１と相違している。
なお、スナップ１２、１３とループ１４は、実施例１と同じ位置に取り付けている。
【図面の簡単な説明】
【００２０】
【図１】本発明にかかる上衣の正面図
【図２】他の実施例における上衣の正面図
【符号の説明】
【００２１】
１上衣、  ２右前身頃、  ３左前身頃、  ４右袵、  ５左袵、  ６右後身頃、  ７左後身頃、  ８左衿、  １０紐通し、  １１締紐、  １２、１３スナップ、  １４ループ
【図１】
2006063463.tif 000002
【図２】
2006063463.tif 000003